(57)【特許請求の範囲】
【請求項１】
ＣＲＴのマグネットリングを回動手段により回動制御することでセンタリング調整をするＣＲＴ画像のセンタリング調整方法であって、
前記ＣＲＴに１個のドット状パターンから成るテストパターンを出画させ、出画されたＣＲＴ画面をカメラで撮影し、前記カメラから取り込んだ映像信号から前記テストパターンを有するカメラ映像信号の走査線を検出し、前記走査線の位置を演算し、前記走査線が所定の位置に来るように前記回動手段を回動制御し、更に前記カメラを９０度回転して同様に前記テストパターンを有するカメラ映像信号の走査線を検出し、前記走査線が所定の位置に来るように前記回動手段を回動制御するＣＲＴ画像のセンタリング調整方法。
【請求項２】
ＣＲＴを組み込んだ製品を固定する固定治具と画像を処理すると共に前記固定治具を制御する画像処理制御手段とからなり、
前記固定治具が前記ＣＲＴのマグネットリングを回動する回動手段と、ＣＲＴ画面を撮影するカメラと、ＣＲＴ画面を撮影可能な状態を保ちながら前記カメラを９０度回転するカメラ回転手段とを有し、前記画像処理制御手段が前記ＣＲＴに１個のドット状パターンを有するテストパターンを発生送出し、回転の前と後とで前記カメラからの映像信号を処理して前記テストパターンを有するカメラ映像信号の走査線を検出し、前記走査線位置を演算して前記ドット状パターンの位置を検出し、前記回動手段により前記ドット状パターンが所定の位置に来るよう前記マグネットリングを回動制御すると共に前記カメラ回転手段を回転操作するＣＲＴ画像のセンタリング調整装置。
【発明の詳細な説明】
【０００１】
【発明の属する技術分野】
この発明は、ＣＲＴが組込まれた製品のＣＲＴ画像のセンタリング調整に関するもので、詳しくはそのセンタリング調整を自動化する技術に属する。
【０００２】
【従来の技術】
ＣＲＴが組込まれた製品としてテレビドアホンを挙げ、そのテレビドアホンにおける従来のＣＲＴ画像のセンタリング調整方法を図５，図６を基に説明する。図５はセンタリング調整工程の機器構成図であって、１はＣＲＴ画像調整時の製品であるテレビドアホン親機、２はＣＲＴ、２４は製品固定治具であり、４ａ，４ｂは回動することでセンタリング調整を可能とするマグネットリングである。また、６はＣＲＴ２の画面全体をとらえるように設置された測定用のＣＣＤカメラ、７はＣＣＤカメラ６が撮影した映像を映し出す測定モニタ、８はテストパターンジェネレータである。テストパターンジェネレータ８はセンタリング調整用のテストパターン信号を発生すると共に、ＣＣＤカメラ６で捕らえたＣＲＴ２の画像に基準信号を重畳して測定モニタ７へ送る機能を有している。
また、図６はテストパターンの１例を示しており、（ａ）はＣＲＴ２に表示させる十字線を基本としたパターン、（ｂ）は測定モニタ７に基準画像として表示させる十字パターンである。
【０００３】
調整方法は、まず製品１を固定治具２４にセットして、テストパターンジェネレータ８より図６（ａ）に示すテストパターンを送り、ＣＲＴ２にその画像を映し出す。そして、ＣＣＤカメラ６によりＣＲＴ２に映し出された図６（ａ）のパターンを捕らえてテストパターンジェテレータ８へ送る。
テストパターンジェネレータ８では、ＣＣＤカメラ６の映像と図６（ｂ）のパターンを重畳し、測定モニタ７に出力する。この重畳画像を基に互いのテスト映像の十字パターンの交点が一致するように、作業者が測定モニタ７を目視しながらマグネットリング４ａ，４ｂを手動にて回転操作することでセンタリング調整を行っていた。
【０００４】
【発明が解決しようとする課題】
このように従来のＣＲＴ画像のセンタリング調整は目視、手動にて行われるので、工数が多くかかり調整に時間を要するばかりでなく、作業者間の調整精度のばらつきも発生して一定の品質を保持するのが難しかった。
また、調整位置を正確にするためには、測定モニタ７に表示させる基準用十字線の交点がＣＲＴ２の画面の中心に位置するように予め設定しておく必要も有り、更にセンタリング調整を面倒なものとしていた。
そこでこの発明の課題は、ＣＲＴ画像のセンタリング調整を、作業者による調整精度のばらつきが無く、精度の高い調整を短時間でしかも容易に行うことを可能とすることにある。
【０００５】
【課題を解決するための手段】
上記課題を解決するため、請求項１の発明によるＣＲＴ画像のセンタリング調整方法は、ＣＲＴのマグネットリングを回動手段により回動制御することでセンタリング調整をするＣＲＴ画像のセンタリング調整方法であって、前記ＣＲＴに１個のドット状パターンから成るテストパターンを出画させ、出画されたＣＲＴ画面をカメラで撮影し、前記カメラから取り込んだ映像信号から前記テストパターンを有するカメラ映像信号の走査線を検出し、前記走査線の位置を演算し、前記走査線が所定の位置に来るように前記回動手段を回動制御し、更に前記カメラを９０度回転して同様に前記テストパターンを有するカメラ映像信号の走査線を検出し、前記走査線が所定の位置に来るように前記回動手段を回動制御するようにした。
【０００７】
請求項２の発明によるＣＲＴ画像のセンタリング調整方法は、ＣＲＴを組み込んだ製品を固定する固定治具と画像を処理すると共に前記固定治具を制御する画像処理制御手段とからなり、前記固定治具が前記ＣＲＴのマグネットリングを回動する回動手段と、ＣＲＴ画面を撮影するカメラと、ＣＲＴ画面を撮影可能な状態を保ちながら前記カメラを９０度回転するカメラ回転手段とを有し、前記画像処理制御手段が前記ＣＲＴに１個のドット状パターンを有するテストパターンを発生送出し、回転の前と後とで前記カメラからの映像信号を処理して前記テストパターンを有するカメラ映像信号の走査線を検出し、前記走査線位置を演算して前記ドット状パターンの位置を検出し、前記回動手段により前記ドット状パターンが所定の位置に来るよう前記マグネットリングを回動制御すると共に前記カメラ回転手段を回転操作するよう構成される。
【０００８】
【発明の実施の形態】
以下、本発明を具体化した実施の形態の１例を図１〜図４を基に詳細に説明する。図１は本発明に係るＣＲＴ画像のセンタリング調整を実行する機器構成図であり、図２はこの調整方法に好適なテストパターン１４を示している。このテストパターン１４は中心にドット状パターン１４ａが白抜きで形成されている。
【０００９】
図１に於いて、９はＣＣＤカメラ６を９０度回転させるためのロータリーシリンダ、１０ａ，１０ｂは夫々ギア１１ａ，１１ｂを介してセットされた製品１のマグネットリング４ａ，４ｂを回動操作するステッピングモータである。
そして１２は画像処理装置、１３は制御装置であり、この２つの装置が画像処理制御手段を構成している。
ロータリーシリンダ９，ステッピングモータ１０ａ，１０ｂは制御装置１３により制御動作するようになっている。尚、従来例に示した図５と同一の構成要素には同一の番号を付してある。
【００１０】
画像処理装置１２は、テストパターン１４を発生し、ＣＣＤカメラ６が撮影したＣＲＴ２の映像信号を取り込み、走査線をスキャンしながらＣＲＴ２に映し出されたドット１４ａの位置を走査線単位で認識する装置である。
また、制御装置１３は画像処理装置１２からのデータを取り込み、ステッピングモータ１０ａ，１０ｂの回転方向，回転角度等を制御することでマグネットリング４ａ，４ｂを回転操作したり、ロータリーシリンダ９を９０度回転操作をする装置で、ＣＰＵを内蔵している。
【００１１】
次に調整の流れを説明する。まず、製品１を固定治具５にセットして画像処理装置１２からテストパターン１４を送出し、ＣＲＴ２にそのパターンを出画させる。そして、ＣＣＤカメラ６がＣＲＴ２の画面に出画された映像を撮影して画像処理装置１２に送出する。
この画像処理装置１２の作用を制御装置１３の作用と共に図３、図４を基に説明する。図３は画像処理装置１２及び制御装置１３により構成される回路ブロック図であり、図４はブロック図に対応した信号の模式図である。
【００１２】
まず、画像処理装置１２の入力端子１２ａにＣＣＤカメラ６からの映像信号（コンポジット映像信号）Ｓ１が入力されると、同期分離回路１５によって、水平同期信号Ｓ２とフレーム判別信号Ｓ３に分離され、カウンタ回路１６に入力される。カウンタ回路１６では、フレーム判別信号Ｓ３の立上がり点を起点に、水平同期信号Ｓ２の立上がりを検出して立上がり回数をカウントする。そして、第１コンパレータ１７にそのカウント数を入力する。
【００１３】
第１コンパレータ１７では、制御装置１３内のＣＰＵ１３ａによって任意に設定された値Ｍ（例えば走査線が５２５本であればそれ以内の数字）とカウント値とを比較して一致時に同期パルスＳ４を出力する。
同期パルスＳ４は、パルス調整回路１８により立上がりが一定時間遅くパルス幅を狭くしたゲートパルスＳ５とした後、ゲート回路１９のコントロール端子に入力される。
【００１４】
ゲート回路１９では、映像信号Ｓ１のうちゲートパルスＳ５の信号と同期した部分のみが取り出され、映像信号Ｓ１の走査ラインのうちＣＲＴ２の画面を捕らえた成分のみが抜き出され、ゲート信号Ｓ６として出力される。このゲート信号Ｓ６は、増幅器２０で増幅され、ドット信号を有している場合は、第２コンパレータ２１によってそのドット信号がデジタル化された信号Ｓ７に変換され、更にフリップフロップ回路２２でデジタル化された信号Ｓ７の立上がりが検出され、ハイレベルに保持された信号Ｓ８がＣＰＵ１３ａに入力される。
ＣＰＵ１３ａはこの信号を受けて、ドット信号を有する走査線の位置を設定値Ｍの値を基に認識する。
【００１５】
尚、フリップフロップ回路２２のリセットは、制御装置１３からのリセット信号で行い、ライン設定（第１コンパレータ１７に送る設定値Ｍの設定）が行われる毎にリセットがかけられる。
【００１６】
そして、この位置情報を基に、ＣＰＵ１３ａは予め設定された基準位置と合致するまで、ステッピングモータ１０ａ，１０ｂをフィードバック制御し、マグネットリング４ａ，４ｂを任意の角度回動し、ＣＲＴ画像のセンタリングの調整をする。
さらに、この調整はＣＲＴ画面を例えば水平方向に走査検索して調整した後、ＣＰＵ１３ａにより、ロータリーシリンダ９を９０度回転させることでＣＣＤカメラ６でＣＲＴ２を垂直方向に同様に走査検索して調整動作させることで、或いはこの回転，調整操作を複数回繰り返すことで、直交した２方向からセンタリング調整をすることにより高精度でセンタリング調整を行うことができる。
【００１７】
このように、テストパターンに白抜きしたドットパターンを用いることで、ドット信号を走査線単位で認識することができ、ドット信号の位置からマグネットリングの回動調整を自動で行うため、調整する時間を短縮でき、センタリング調整を精度よく行うことができる。また、作業者は製品を固定治具にセットして、調整を開始させるスイッチ等の操作をするだけで良いので、作業工数を大幅に削減することができるし、作業者間の調整精度のばらつきを生ずることもない。
【００１８】
尚、上記実施の形態はテレビドアホン親機のセンタリング調整について説明したが、ＣＲＴを有する他の製品のセンタリング調整に於ても利用できるもので、同様の効果を奏するものである。また、画像処理装置と制御装置は別体としてあるが、一体で構成しても良い。その他、本発明は上記実施の形態にこだわるものではなく発明の趣旨を逸脱しない範囲で各部の構成を適宜変更して具体化することも可能である。
【００１９】
【発明の効果】
以上細述したように本発明によれば、ＣＲＴ画像のセンタリング調整を、作業者間の調整精度のばらつきが生ずること無く、精度の高い調整を短時間にしかも容易に行うことができる。
【図面の簡単な説明】
【図１】本発明に係るＣＲＴ画像のセンタリング調整装置の実施の形態を示す機器構成図である。
【図２】図１のセンタリング調整に使用されるテストパターンの図である。
【図３】図１の画像処理装置と制御装置とからなる画像処理制御手段の回路ブロック図である。
【図４】図３に示す回路ブロック図に対応した信号の模式図である。
【図５】従来のＣＲＴ画像のセンタリング調整を示す機器構成図である。
【図６】図５に於て使用されるテストパターンの１例を示し、（ａ）は製品に出画させるパターンであり、（ｂ）は基準パターンである。
【符号の説明】
１・・製品（テレビドアホン親機）、２・・ＣＲＴ、３・・偏向コイル、４ａ，４ｂ・・マグネットリング、５・・固定治具、６・・ＣＣＤカメラ（カメラ）、９・・ロータリーシリンダ（カメラ回転手段）、１０ａ，１０ｂ・・ステッピングモータ（回動手段）、１２・・画像処理装置（画像処理制御手段）、１３・・制御装置（画像処理制御手段）、１４・・テストパターン、１４ａ・・ドット状パターン。
【図１】
0003600398.tif 000002
【図２】
0003600398.tif 000003
【図３】
0003600398.tif 000004
【図４】
0003600398.tif 000005
【図５】
0003600398.tif 000006
【図６】
0003600398.tif 000007